(57)【特許請求の範囲】
【請求項１】
建物外壁の外壁パネル１間に横目地４と縦目地２が形成され、横目地４にはシーリング材５が装填される一方、縦目地２には外壁パネル側端面に弾接する表側リップ７と、該表側リップ７の奥側に位置するリップ８を備えたガスケット１１が装填される目地構造における前記ガスケットであって、前記ガスケット１１は、下端が前記シーリング材５に押し付けられると共に、前記表側リップ７にはリップ先端部に切欠部１２が形成され、前記表側リップ７を潜り抜け、ガスケット内に侵入して該ガスケットを伝い落ちる雨水等が前記シーリング材５で堰止められ、該シーリング材上に溜まった雨水等を前記切欠部１２より外部に流出して排出させるようにしたことを特徴とする目地用のガスケット。
【請求項２】
建物外壁の外壁パネル１間に形成される縦目地２に装填され、外壁パネル側端面に弾接する表側リップ７と、該表側リップ７の奥側に位置するリップ８を備えたガスケット１１であって、前記表側リップ７を潜り抜け、ガスケット内に侵入して該ガスケット１１を伝い流れる雨水を堰止める堰止め手段を設けると共に、該堰止め手段上の前記表側リップ７のリップ先端部に切欠部１２を形成し、前記堰止め手段で堰止められた雨水を前記切欠部１２より外部に流出して排出させるようにしたガスケットにおいて、前記堰止め手段が表側リップ７とその奥側のリップ８のリップ間に装填されるゴム、樹脂、シーリング材、ブチルシール材又は接着剤等の止水材１４よりなることを特徴とする目地用のガスケット。
【請求項３】
表側リップ７には止水材挿入用の切欠き１６、孔若しくはスリットが形成され、該切欠き１６、孔若しくはスリットを通して止水材１４が前記リップ７、８間に装填されることを特徴とする請求項２記載の目地用のガスケット。
【発明の詳細な説明】
【技術分野】
【０００１】
本発明は、建物外壁の外壁パネル間に形成される縦目地に装填され、外壁パネル側端面に弾接するリップを備えたガスケットに関する。
【背景技術】
【０００２】
図１は、外壁パネル１を取付けた建物外壁の縦目地２と横目地４の交差部分を示すもので、外壁パネル間の縦目地２にはゴム又は樹脂製のガスケット３が装填されると共に、横目地４にシーリング材５が充填され、その施工は、先にガスケット３を縦目地２に装填し、ついでシーリング材５を横目地４に充填することにより行っている。
【０００３】
図２は、縦目地２に装填されるガスケット３の一例を示すもので、柱部６と、柱部上端より側方に突出形成される表側リップ７と、柱部中間より側方に突出形成される中リップ８と、柱部下端より側方に突出形成される奥リップ９よりなっている。
【発明の開示】
【発明が解決しようとする課題】
【０００４】
図示するような目地構造においては、降雨時、とくに暴風雨時に雨水が、ガスケット３の表側リップ７を潜り抜けて侵入することがあり、侵入した雨水は、表側リップ７と中リップ８との間を流下してシーリング材で堰き止められ、シーリング材上に溜まったり、更には、溜まった水が凍結融解して外壁パネルの腐食の原因となったり、ガスケット端とシーリング材との間の隙間より室内側へ漏水するおそれがある。
【０００５】
本発明は、ガスケット内に浸入する雨水が多くなったとしても、これを外部にスムーズに排出することができるようにしたガスケットを提供することを目的とする。
【課題を解決するための手段】
【０００６】
請求項１に係わる発明は、建物外壁の外壁パネル間に横目地と縦目地が形成され、横目地にはシーリング材が装填される一方、縦目地には外壁パネル側端面に弾接する表側リップと、該表側リップの奥側に位置するリップを備えたガスケットが装填される目地構造における前記ガスケットであって、前記ガスケットは、下端が前記シーリング材に押し付けられると共に、前記表側リップにはリップ先端部に切欠部が形成され、前記表側リップを潜り抜け、ガスケット内に侵入して該ガスケットを伝い落ちる雨水等が前記シーリング材で堰止められ、該シーリング材上に溜まった雨水等を前記切欠部より外部に流出して排出させるようにした。
【０００７】
請求項２に係わる発明は、建物外壁の外壁パネル間に形成される縦目地に装填され、外壁パネル側端面に弾接する表側リップと、該表側リップの奥側に位置するリップを備えたガスケットであって、前記表側リップを潜り抜け、ガスケット内に侵入して該ガスケットを伝い流れる雨水を堰止める堰止め手段を設けると共に、該堰止め手段上の前記表側リップのリップ先端部に切欠部を形成し、前記堰止め手段で堰止められた雨水を前記切欠部より外部に流出して排出させるようにしたガスケットにおいて、前記堰止め手段が表側リップとその奥側のリップのリップ間に装填されるゴム、樹脂、シーリング材、ブチルシール材又は接着剤等の止水材よりなることを特徴とする。
【０００８】
本発明の切欠部の形状は、例えば図３に示すようなＶ形、図４に示すようなＵ形、或いは図５に示すような矩形をなすもので、特に限定されず、その大きさは１〜２０ｍｍ２程度で、開口側のコーナは図６に示すように面取りするのが望ましい。
【０００９】
切欠部の形状が図４及び図５に示すようにＵ形ないし矩形をなす場合、その切欠き幅は１〜４ｍｍ程度であるのが好ましい。１ｍｍ未満だと切欠き加工が困難であり、４ｍｍを越えると、切欠部からの入水量も多くなる。なお、切欠部を形成する位置は堰止め手段上であればよく、直上であっても堰止め手段より一定の高さであってもよい。
【００１０】
止水材としては、定形、不定形のいずれのタイプのものでも使用することができ、止水材が定形である場合には、作業性の観点からガスケットを縦目地に装填する前にガスケットに取付けるのが望ましく、止水材が不定形である場合には、ガスケットを縦目地に装填したのちにガスケットに注入するのが望ましい。とくに止水材として接着剤を用いれば、注入された接着剤がガスケットと外壁材を接着し、ガスケットが縦目地から脱落するのを防止することができる。
【００１１】
請求項１又は２に係る発明におけるシーリング材及び止水材は、それぞれ単独でガスケット内に侵入して該ガスケットを伝い落ちる雨水等を堰止める手段として用いることもできるが、両者を併用するのが望ましい。両者を併用することにより、堰止め効果を長期間持続させることができる。
【００１２】
請求項３に係る発明は、請求項３に係る発明において、表側リップには止水材挿入用の切欠き、孔若しくはスリットが形成され、該切欠き、孔若しくはスリットを通して止水材が前記リップ間に装填されることを特徴とする。
【発明の効果】
【００１３】
請求項１に係る発明によると、雨水が表側リップを潜り抜けてガスケット内に多量に侵入するようなことがあっても、シーリング材で堰止められたのち、切欠部より外部にスムーズに流出して排出されるようになり、外壁パネルが腐食する原因となったり、ガスケットと堰止め手段との間より漏出して室内に水漏れする、といった問題を解消することができる。なお、切欠部からは小雨の場合、雨水が入り込むようなことはないし、大雨の場合でも切欠部から横向きに侵入するより上方から流下して排出される方が運動エネルギーの点で勝ることから、雨水が侵入することはない。
本発明においてはまた、ガスケット内に侵入した雨水等の堰止めが横目地に装填されるシーリング材を利用して行うことができる。
【００１４】
請求項２に係る発明においてもガスケット内に侵入した雨水等は止水材で堰止めされたのち、外部に排出されるようになり、請求項１に係わる発明と同様、ガスケット内に侵入した雨水等の堰止めが行える。本発明はまた、横目地を有する外壁ばかりでなく、横目地を有しない外壁、すなわちガスケットが装填される縦目地のみを有する外壁に対しても適用することができる。
【００１５】
請求項３に係る発明においては、施工前のガスケットに対してはもとよりのこと、縦目地にガスケットを装填した施工後においても止水材挿入用の切欠き、孔若しくはスリットを通して止水材を装填することができる。
【発明を実施するための最良の形態】
【００１６】
以下、本発明の実施形態のガスケットについて図面により説明する。図中、図１及び図２に示すものと同一構造部分には同一符号を示してある。
【００１７】
図７は、図１に示す外壁パネル間の縦目地２に装填されるガスケット１１について示すもので、図２に示すガスケット３と同様、柱部６と、表側リップ７と、その奥側に位置する中リップ８及び奥リップ９よりなり、シーリング材５に押付けられる下端面から一定高さの表側リップ７には、両側のリップ先端より柱部６に向かってガスケット１１の長手方向と直交する方向に１〜４ｍｍ幅の図６に示すようなコーナを面取りしたＵ形状の切欠部１２が形成されている。
【００１８】
図８は、図１に示す外壁パネル間の縦目地２に図７に示すガスケット１１を装填すると共に、横目地４にシーリング材５を充填した場合の図１におけるＡ−Ａ線断面を示すもので、表側リップ７を潜り抜けてガスケット１１内に侵入した雨水は、表側リップ７と中リップ８の間を伝って流下し、堰止め手段としてのシーリング材５で堰止められたのち、切欠部１２から外部に流出し排出される。なお、切欠部１２のレベルまでシーリング材５上に溜まった雨水の量は、僅かな量であるため静圧も小さく、シーリング材５との間より室内側に漏出することはないし、外壁パネル１の腐食の原因となることもない。
【００１９】
図９は、図７に示すガスケット１１の下端部の表側リップ７と中リップ８間にゴム又は樹脂製の定型体、又はシーリング材、ブチルシール材等の不定型体よりなる堰止め手段としての止水材１４を装填して必要によっては接着剤にて接着し、止水材１４から一定高さをなす表側リップ７に前述の切欠部１２を形成したものである。
【００２０】
ガスケット１１を縦目地２に装填するときには、止水材１４をガスケット１１両側のリップ７、８間にそれぞれ装着したのち、縦目地２に装填する。
上述する止水材１４の装填は、縦目地２に装填するのに先立ってガスケット下端に行われるが、切欠部１２とは別に切欠部下に止水材挿入用の切欠きを設けて、該切欠部から行うようにしてもよい。図１０は、切欠部１２の下に止水材挿入用の切欠き１６を形成したものである。
【００２１】
図１１は、図１０に示すガスケット１１を図１に示す外壁パネル１間の縦目地２に装填し、かつシーリング材５を横目地４に装填したのち、前記切欠き１６を通してゴム又は樹脂製の定型体、又はシーリング材、ブチルシール材等の不定型体よりなる堰止め手段としての定形の止水材１４を押込んで表側リップ７と、その奥側の中リップ８の間に装填したときの図１２のＢ−Ｂ線における断面を示すもので、止水材１４で堰止められ、止水材上に溜まった雨水は、切欠部１２を通して外部に流出し排出されるようになっている。
【００２２】
図１３は、柱部６の両側に中空部を備えたガスケット１１を縦目地２に装填したのち流動性のあるシーリング材、ブチルシール材、好ましくは接着剤よりなる堰止め手段としての止水材１４を止水材挿入用の前記切欠き１６に差込んだ注入器１８のノズル１９より押出して充填する態様を示している。この場合、切欠き１６は、ノズル１９が差込めるだけの小さな孔若しくはスリットにしてもよい。切欠き１６或いは孔を小さくすることにより目立たないようにすることができる。
【００２３】
止水材１４については、ガスケット１１の表側リップ７と同色にするのが望ましい。止水剤が流動性をなす場合、その注入は、止水材挿入用の切欠きが塞がる程度までにするとよい。
【００２４】
図１３に示すガスケット１１は、柱部６の両側に中空部を有しているが、図１０に示すように中空部を有しないタイプのものを用いてもよい。
【産業上の利用可能性】
【００２５】
本発明のガスケットは、縦目地と横目地を備えた建物外壁或いは縦目地のみを備えた建物外壁の縦目地に装填するガスケットとして用いられる。
【図面の簡単な説明】
【００２６】
【図１】建物外壁の要部の正面図。
【図２】従来のガスケットの下端部の斜視図。
【図３】切欠部の一例を示す図。
【図４】切欠部の別の例を示す図。
【図５】切欠部の別の例を示す図。
【図６】切欠部の更に別の例を示す図。
【図７】本発明に係るガスケットの下端部の斜視図。
【図８】図７に示すガスケットを用いた図１のＡ−Ａ線での断面図。
【図９】本発明に係るガスケットの別の例の下端部の斜視図。
【図１０】本発明に係るガスケットの更に別の例の下端部の斜視図。
【図１１】図１０に示すガスケットを用いた図１２のＢ−Ｂ線での断面図。
【図１２】本発明に係るガスケットを装着した建物外壁の要部の正面図。
【図１３】止水材を注入器を用いて充填するときの態様を示す断面図。
【符号の説明】
【００２７】
１・・外壁パネル
２・・縦目地
３、１１・・ガスケット
４・・横目地
５・・シーリング材
６・・柱部
７・・表側リップ
８・・中リップ
９・・奥リップ
１２・・切欠部
１４・・止水材
１６・・切欠き
１８・・注入器
１９・・ノズル
【図１】
0004817970.tif 000002
【図２】
0004817970.tif 000003
【図３】
0004817970.tif 000004
【図４】
0004817970.tif 000005
【図５】
0004817970.tif 000006
【図６】
0004817970.tif 000007
【図７】
0004817970.tif 000008
【図８】
0004817970.tif 000009
【図９】
0004817970.tif 000010
【図１０】
0004817970.tif 000011
【図１１】
0004817970.tif 000012
【図１２】
0004817970.tif 000013
【図１３】
0004817970.tif 000014